(57)【要約】【課題】内部空間に配置可能な複数の物品において運転条件が互いに異なるものが存在する場合において、作業効率の向上と、運転条件の設定間違い等のヒューマンエラーの防止とを共に実現する。【解決手段】環境試験装置１のサブコントローラ２０のＲＯＭ２０２には、各試料（試料Ｓａ，Ｓｂを含む複数の試料それぞれ）の試験条件が記憶されている。サブコントローラ２０のＣＰＵ２０１は、ＲＯＭ２０２に記憶された各試料に対する試験条件、バーコードスキャナ４０による識別バーコードの読取によりサブコントローラ２０のＲＡＭ２０３が受信した試料の識別情報に基づいて、試料に対する試験条件を決定し、当該決定した試験条件をメインコントローラ１ｃに送信する。メインコントローラ１ｃのＣＰＵ１ｃ１は、サブコントローラ２０から受信した試験条件で運転を行う。【選択図】図１
2018059793.tif 000002
【特許請求の範囲】
【請求項１】
物品が配置される内部空間の環境を予め設定された環境とする環境形成装置において、
複数の前記物品それぞれに対する運転条件を記憶する記憶手段と、
前記物品の識別情報を受信する識別情報受信手段と、
前記記憶手段に記憶された前記複数の物品それぞれに対する運転条件及び前記識別情報受信手段が受信した前記識別情報に基づいて決定された運転条件で運転を行う運転制御手段と、
を備えたことを特徴とする環境形成装置。
【請求項２】
前記運転制御手段を有するメインコントローラと、
前記記憶手段及び前記識別情報受信手段を有し、前記メインコントローラと通信可能に接続されたサブコントローラと、
を備え、
前記サブコントローラは、前記記憶手段に記憶された前記複数の物品それぞれに対する運転条件、及び、前記識別情報受信手段が受信した前記識別情報に基づいて、前記識別情報に対応する物品に対する運転条件を決定する決定手段をさらに有し、
前記運転制御手段は、前記決定手段が決定した運転条件を受信し、当該運転条件で運転を行うことを特徴とする請求項１に記載の環境形成装置。
【請求項３】
前記物品に付された当該物品の識別情報を読み取る読取手段をさらに備え、
前記識別情報受信手段は、前記読取手段が読み取った前記識別情報を受信することを特徴とする請求項１又は２に記載の環境形成装置。
【請求項４】
前記読取手段は、運転開始情報を読み取り可能であり、
前記運転制御手段は、前記読取手段が前記運転開始情報を読み取ると、前記読取手段が当該運転開始情報を読み取る前の直近に読み取った前記識別情報に対応する物品に対して決定された運転条件で、運転を開始させることを特徴とする請求項３に記載の環境形成装置。
【請求項５】
前記読取手段は、運転終了情報を読み取り可能であり、
前記読取手段が前記運転終了情報を読み取ると、スタンバイ状態であることを報知する報知手段をさらに備えたことを特徴とする請求項３又は４に記載の環境形成装置。
【請求項６】
前記報知手段は、動作表示灯を含むことを特徴とする請求項５に記載の環境形成装置。
【請求項７】
前記識別情報受信手段が運転条件の互いに異なる複数の前記物品の前記識別情報を続けて受信した場合に、前記運転制御手段が運転を行う前に異常を通知する異常通知手段をさらに備えたことを特徴とする請求項１〜６のいずれか１項に記載の環境形成装置。
【請求項８】
前記異常通知手段は、動作表示灯を含むことを特徴とする請求項７に記載の環境形成装置。
【発明の詳細な説明】
【技術分野】
【０００１】
本発明は、物品が配置される内部空間の環境を予め設定された環境とする環境形成装置に関する。
【背景技術】
【０００２】
物品が配置される内部空間の環境を予め設定された環境とする環境形成装置が知られている。例えば特許文献１に記載の環境試験装置（環境形成装置）は、複数の区画に区切られた試験室（内部空間）を有し、被試験物（物品）が複数の区画に分かれて配置され、区画毎の試験の進行状況を報知する報知手段をさらに有する。
【先行技術文献】
【特許文献】
【０００３】
【特許文献１】特許第５４５６６００号公報
【発明の概要】
【発明が解決しようとする課題】
【０００４】
特許文献１に記載の環境試験装置（環境形成装置）では、区画毎の試験の進行状況を把握することはできても、各試料に対する試験条件を自動的に設定して運転を行うことは困難である。例えば、内部空間に配置可能な複数の試料（物品）において試験条件（運転条件）が互いに異なるものが存在する場合、運転条件が変わる度にユーザが運転条件を設定する必要が生じ得る。この場合、上記設定作業が必要となることから作業効率が下がる上、運転条件の設定間違い等のヒューマンエラーが生じ得る。当該ヒューマンエラーが生じると、物品に過度なストレスがかかると共に、試験や処理の精度が悪化し、ひいては再試験や再処理を行う必要が生じ得る。
【０００５】
本発明の目的は、内部空間に配置可能な複数の物品において運転条件が互いに異なるものが存在する場合において、作業効率の向上と、運転条件の設定間違い等のヒューマンエラーの防止とを共に実現可能な環境形成装置を提供することである。
【課題を解決するための手段】
【０００６】
本発明によると、物品が配置される内部空間の環境を予め設定された環境とする環境形成装置において、複数の前記物品それぞれに対する運転条件を記憶する記憶手段と、前記物品の識別情報を受信する識別情報受信手段と、前記記憶手段に記憶された前記複数の物品それぞれに対する運転条件及び前記識別情報受信手段が受信した前記識別情報に基づいて決定された運転条件で運転を行う運転制御手段と、を備えたことを特徴とする環境形成装置が提供される。
【０００７】
本発明によれば、内部空間に配置可能な複数の物品において運転条件が互いに異なるものが存在する場合において、運転条件が変わる度にユーザが運転条件を設定する作業が必要ではなく、作業効率が向上する。さらに、運転条件の設定間違い等のヒューマンエラーを防止することができる。
【０００８】
本発明に係る環境形成装置は、前記運転制御手段を有するメインコントローラと、前記記憶手段及び前記識別情報受信手段を有し、前記メインコントローラと通信可能に接続されたサブコントローラと、を備え、前記サブコントローラは、前記記憶手段に記憶された前記複数の物品それぞれに対する運転条件、及び、前記識別情報受信手段が受信した前記識別情報に基づいて、前記識別情報に対応する物品に対する運転条件を決定する決定手段をさらに有し、前記運転制御手段は、前記決定手段が決定した運転条件を受信し、当該運転条件で運転を行ってよい。この場合、既存の装置に備えられている制御ユニットをメインコントローラとし、サブコントローラをさらに追加的に設けることで、既存の装置においても本発明を容易に実現することができる。
【０００９】
本発明に係る環境形成装置は、前記物品に付された当該物品の識別情報を読み取る読取手段をさらに備え、前記識別情報受信手段は、前記読取手段が読み取った前記識別情報を受信してよい。この場合、識別情報受信手段がキーボード等の入力手段を介して入力された識別情報を受信する場合に比べ、識別情報の入力間違いを抑制することができる。
【００１０】
前記読取手段は、運転開始情報を読み取り可能であり、前記運転制御手段は、前記読取手段が前記運転開始情報を読み取ると、前記読取手段が当該運転開始情報を読み取る前の直近に読み取った前記識別情報に対応する物品に対して決定された運転条件で、運転を開始させてよい。この場合、読取手段以外の手段（タブレット型端末、押しボタン等の入力手段）を介して運転開始時点を受信する場合に比べ、構成要素の簡素化、入力作業の省略等が可能となる。
【００１１】
前記読取手段は、運転終了情報を読み取り可能であり、本発明に係る環境形成装置は、前記読取手段が前記運転終了情報を読み取ると、スタンバイ状態であることを報知する報知手段をさらに備えてよい。この場合、例えば内部空間に配置された全ての物品の試験や処理が終了し、読取手段により運転終了情報が読み取られると、スタンバイ状態であることが報知される。これにより、ユーザは、次の試験や処理を実行可能な状況であることを把握することができ、次の試験や処理の準備をスムーズに進めることができる。
【００１２】
前記報知手段は、動作表示灯を含んでよい。この場合、環境形成装置に一般的に装備されている動作表示灯を報知手段として用いることで、構成要素の簡素化、コスト低減を実現することができる。
【００１３】
本発明に係る環境形成装置は、前記識別情報受信手段が運転条件の互いに異なる複数の前記物品の前記識別情報を続けて受信した場合に、前記運転制御手段が運転を行う前に異常を通知する異常通知手段をさらに備えてよい。運転条件の互いに異なる複数の物品について試験や処理を同時に行うと、運転条件が合致していない物品に過度なストレスがかかり、再試験や再処理を行う必要が生じ得る。これに対し、上記構成によれば、ユーザに事前に通知することで、このような事態を回避することができる。
【００１４】
前記異常通知手段は、動作表示灯を含んでよい。この場合、環境形成装置に一般的に装備されている動作表示灯を通知手段として用いることで、構成要素の簡素化、コスト低減を実現することができる。
【発明の効果】
【００１５】
本発明によれば、内部空間に配置可能な複数の物品において運転条件が互いに異なるものが存在する場合において、運転条件が変わる度にユーザが運転条件を設定する作業が必要ではなく、作業効率が向上する。さらに、運転条件の設定間違い等のヒューマンエラーを防止することができる。
【図面の簡単な説明】
【００１６】
【図１】本発明の一実施形態に係る環境試験装置の概略構成を示す図である。
【図２】本発明の一実施形態に係る環境試験装置におけるサブコントローラのＲＯＭに記憶されている記憶内容の一例を示す模式図である。
【図３】本発明の一実施形態に係る環境試験装置において２つの試料の試験を同時に行う場合にメインコントローラ及びサブコントローラが実行する制御内容の一例を示すフロー図である。
【発明を実施するための形態】
【００１７】
先ず、図１を参照し、本発明の一実施形態に係る環境試験装置１の全体構成について説明する。
【００１８】
環境試験装置１は、例えば製品の品質試験における評価工程、製品の開発試験における開発工程等に用いられる。
【００１９】
環境試験装置１は、試験槽１０と、メインコントローラ１ｃと、サブコントローラ２０と、動作表示灯３０と、バーコードスキャナ４０とを有する。
【００２０】
試験槽１０は、複数の試料が配置される内部空間１０ｖを有する。なお、図１には２つの試料Ｓａ，Ｓｂが示されているが、これら以外の試料（例えば試料Ｓｃ：図２参照）も内部空間１０ｖに配置可能である。
【００２１】
メインコントローラ１ｃは、ＣＰＵ（Central Processing Unit）１ｃ１、ＲＯＭ（Read Only Memory）１ｃ２、ＲＡＭ（Random Access Memory）１ｃ３等を含む。
【００２２】
サブコントローラ２０は、ＣＰＵ（Central Processing Unit）２０１、ＲＯＭ（Read Only Memory）２０２、ＲＡＭ（Random Access Memory）２０３等を含む。サブコントローラ２０は、本実施形態ではＲＳ−４８５／ＬＡＮ変換機で構成され、ＲＳ４８５ケーブル５ａを介してメインコントローラ１ｃと通信可能に接続されている。また、サブコントローラ２０は、ＵＳＢケーブル５ｂを介して動作表示灯３０及びバーコードスキャナ４０と通信可能に接続されている。
【００２３】
動作表示灯３０は、「スタンバイ」「試験中」「試料の投入（即ち、内部空間１０ｖへの配置）待ち」「試料の取出し（即ち、内部空間１０ｖからの取出し）待ち」「異常通知」の各段階に対応する態様で点灯可能であり、各試料の試験の進行状況の報知や、異常の通知を行う。
【００２４】
バーコードスキャナ４０は、各試料Ｓａ〜Ｓｃの識別情報を示すバーコード（識別バーコード）、運転開始情報を示すバーコード（開始バーコード）及び運転終了情報を示すバーコード（終了バーコード）を読み取り可能である。識別バーコードは、各試料Ｓａ〜Ｓｃに付されている。開始バーコード及び終了バーコードは、環境試験装置１を構成する任意の部材又は環境試験装置１の外部の部材に付されてよい。
【００２５】
サブコントローラ２０のＲＯＭ２０２は、内部空間１０ｖに配置可能な各試料Ｓａ〜Ｓｃに対する試験条件（運転条件）を記憶している。具体的には、ＲＯＭ２０２は、図２に示すように、試料Ｓａ，Ｓｂに対する試験条件がＩ（１５０℃，３時間）、試料Ｓｃに対する試験条件がＩＩ（２００℃，２時間）等、試料Ｓａ〜Ｓｃそれぞれに対する試験条件（即ち、試料と試験条件とを一対一で紐付けた情報）を記憶している。
【００２６】
メインコントローラ１ｃのＲＯＭ１ｃ２は、試験条件Ｉ，ＩＩ（各試験条件Ｉ，ＩＩにおける温度及び試験時間）を記憶している。
【００２７】
メインコントローラ１ｃのＣＰＵ１ｃ１は、サブコントローラ２０からの指令と、ＲＯＭ１ｃ２に記憶された試験条件とに基づき、加熱器、冷凍機等の空調機器（図示略）を制御することにより、内部空間１０ｖの環境を予め設定された環境とする。
【００２８】
次いで、環境試験装置１において２つの試料の試験を同時に行う場合にメインコントローラ１ｃ及びサブコントローラ２０が実行する制御内容について説明する。
【００２９】
図２に示すように、試料Ｓａ，Ｓｂに対する試験条件（温度及び試験時間）は「Ｉ」で互いに同じであるが、試料Ｓｃに対する試験条件は「ＩＩ」で試料Ｓａ，Ｓｂに対する試験条件「Ｉ」とは異なる。したがって、試料Ｓａ，Ｓｂの試験を同時に行うことはできるが、試料Ｓｃの試験を試料Ｓａ，Ｓｂの試験と同時に行うことはできない。
【００３０】
先ず、サブコントローラ２０のＣＰＵ２０１は、試料Ｓａ〜Ｓｃが投入される前、図３に示すように、動作表示灯３０を「スタンバイ」に対応する態様で点灯させ、スタンバイ状態であることを報知する（Ｓ１）。
【００３１】
Ｓ１の後、バーコードスキャナ４０により、１つ目の試料に付された識別バーコードが読み取られる（Ｓ２）。バーコードスキャナ４０が読み取った当該識別バーコードの情報は、サブコントローラ２０のＲＡＭ２０３に受信される。
【００３２】
Ｓ２の後、サブコントローラ２０のＣＰＵ２０１は、動作表示灯３０を「試料の投入待ち」に対応する態様で点灯させ、試料の投入待ちであることを報知する（Ｓ３）。
【００３３】
Ｓ３の後、１つ目の試料が内部空間１０ｖに配置された後、バーコードスキャナ４０により、２つ目の試料に付された識別バーコードが読み取られる（Ｓ４）。バーコードスキャナ４０が読み取った当該識別バーコードの識別情報は、サブコントローラ２０のＲＡＭ２０３に受信される。
【００３４】
Ｓ４の後、サブコントローラ２０のＣＰＵ２０１は、１つ目の試料に対する試験条件と２つ目の試料に対する試験条件とが互いに同じであるか否かを判断する（Ｓ５）。具体的には、ＣＰＵ２０１が、ＲＯＭ２０２に記憶された各試料Ｓａ〜Ｓｃに対する試験条件と、ＲＡＭ２０３が受信した１つ目及び２つ目の試料の識別情報とに基づいて、１つ目の試料に対する試験条件と２つ目の試料に対する試験条件とが互いに同じであるか否かを判断する。例えば、１つ目の試料が試料Ｓａで２つ目の試料が試料Ｓｂの場合、又は、１つ目の試料が試料Ｓｂで２つ目の試料が試料Ｓａの場合、１つ目の試料に対する試験条件と２つ目の試料に対する試験条件とが互いに同じであると判断される。１つ目の試料が試料Ｓａ又はＳｂで２つ目の試料が試料Ｓｃの場合、１つ目の試料が試料Ｓｃで２つ目の試料が試料Ｓａ又はＳｂの場合、１つ目の試料に対する試験条件と２つ目の試料に対する試験条件とが互いに異なると判断される。
【００３５】
サブコントローラ２０のＣＰＵ２０１により１つ目の試料に対する試験条件と２つ目の試料に対する試験条件とが互いに同じであると判断された場合（Ｓ５：ＹＥＳ）、２つ目の試料が内部空間１０ｖに配置された後、バーコードスキャナ４０により、開始バーコードが読み取られる（Ｓ６）。バーコードスキャナ４０が読み取った開始バーコードの情報は、サブコントローラ２０に受信され、さらにメインコントローラ１ｃのＲＡＭ１ｃ３に受信される。ここで、ＲＡＭ１ｃ３は、バーコードスキャナ４０が開始バーコードを読み取ったタイミングを、当該２つの試料の試験開始時点として受信する。
【００３６】
Ｓ６の後、メインコントローラ１ｃのＣＰＵ１ｃ１は、当該２つの試料の試験時間のカウントを開始すると共に、上記空調機器（図示略）を制御することにより環境試験装置１の運転を開始させる（Ｓ７）。具体的には、先ず、サブコントローラ２０のＣＰＵ２０１が、ＲＯＭ２０２に記憶された各試料Ｓａ〜Ｓｃに対する試験条件と、ＲＡＭ２０３が受信した１つ目及び２つ目の試料の識別情報とに基づいて、当該２つの試料に対する試験条件を決定する。そして、メインコントローラ１ｃのＣＰＵ１ｃ１は、サブコントローラ２０のＣＰＵ２０１が決定した試験条件を受信し、当該試験条件で運転を行う。
【００３７】
Ｓ７の後、サブコントローラ２０のＣＰＵ２０１は、動作表示灯３０を「試験中」に対応する態様で点灯させ、試験中であることを報知する（Ｓ８）。
【００３８】
Ｓ８の後、メインコントローラ１ｃのＣＰＵ１ｃ１は、当該２つの試料の試験が終了したか否かを判断する（Ｓ９）。具体的には、ＣＰＵ１ｃ１が、ＲＯＭ１ｃ２に記憶された当該試験条件の中の試験時間と、ＲＡＭ１ｃ３に記憶されている当該２つの試料の試験開始時点とに基づいて、当該２つの試料の試験が終了したか否か（即ち、当該２つの試料の試験開始時点から当該２つの試料の試験時間が経過したか否か）を判断する。
【００３９】
当該２つの試料の試験が終了していないと判断した場合（Ｓ９：ＮＯ）、メインコントローラ１ｃのＣＰＵ１ｃ１は、当該判断処理を繰り返す。
【００４０】
メインコントローラ１ｃのＣＰＵ１ｃ１が当該２つの試料の試験が終了したと判断した場合（Ｓ９：ＹＥＳ）、メインコントローラ１ｃのＣＰＵ１ｃ１が環境試験装置１の運転を停止させると共に、サブコントローラ２０のＣＰＵ２０１は、動作表示灯３０を「試料の取出し待ち」に対応する態様で点灯させ、試料の取出し待ちであることを報知する（Ｓ１０）。
【００４１】
Ｓ１０の後、当該２つの試料が内部空間１０ｖから取り出された後、バーコードスキャナ４０により、終了バーコードが読み取られる（Ｓ１１）。バーコードスキャナ４０が読み取った終了バーコードの情報は、サブコントローラ２０に受信され、さらにメインコントローラ１ｃのＲＡＭ１ｃ３に受信される。ここで、ＲＡＭ１ｃ３は、バーコードスキャナ４０が終了バーコードを読み取ったタイミングを、当該２つの試料の試験終了時点として受信する。
【００４２】
Ｓ１１の後、サブコントローラ２０のＣＰＵ２０１が動作表示灯３０を「スタンバイ」に対応する態様で点灯させ、スタンバイ状態であることを報知する（Ｓ１２）。
【００４３】
一方、１つ目の試料に対する試験条件と２つ目の試料に対する試験条件とが互いに異なると判断した場合（Ｓ５：ＮＯ）、サブコントローラ２０のＣＰＵ２０１は、動作表示灯３０を「異常通知」に対応する態様で点灯させ、異常を通知する（Ｓ１３）。Ｓ１３の後は、Ｓ１１に移行し、バーコードスキャナ４０により終了バーコードが読み取られる。
【００４４】
以上に述べたように、本実施形態によれば、メインコントローラ１ｃのＣＰＵ１ｃ１（運転制御手段）が、サブコントローラ２０のＲＯＭ２０２（記憶手段）に記憶された各試料Ｓａ〜Ｓｃに対する試験条件（運転条件）及びサブコントローラ２０のＲＡＭ２０３（識別情報受信手段）が受信した試料の識別情報に基づいて決定された試験条件で運転を行う（図３のＳ５〜Ｓ７参照）。これにより、内部空間１０ｖに配置可能な複数の試料Ｓａ〜Ｓｃにおいて試験条件が互いに異なるものが存在する場合において、試験条件が変わる度にユーザが試験条件を設定する作業が必要ではなく、作業効率が向上する。さらに、試験条件の設定間違い等のヒューマンエラーを防止することができる。
【００４５】
環境試験装置１は、メインコントローラ１ｃ及びサブコントローラ２０を有し、サブコントローラ２０のＣＰＵ２０１（決定手段）が、ＲＯＭ２０２に記憶された各試料Ｓａ〜Ｓｃに対する試験条件及びＲＡＭ２０３が受信した試料の識別情報に基づいて、当該識別情報に対応する試料に対する試験条件を決定する。そして、メインコントローラ１ｃのＣＰＵ１ｃ１（運転制御手段）が、サブコントローラ２０のＣＰＵ２０１が決定した試験条件を受信し、当該試験条件で運転を行う。この場合、既存の装置に備えられている制御ユニットをメインコントローラとし、サブコントローラをさらに追加的に設けることで、既存の装置においても本発明を容易に実現することができる。
【００４６】
環境試験装置１は、試料Ｓａ〜Ｓｃに付された当該試料の識別情報を読み取るバーコードスキャナ４０（読取手段）をさらに備え、サブコントローラ２０のＲＡＭ２０３（識別情報受信手段）は、バーコードスキャナ４０が読み取った識別情報を受信する。この場合、識別情報受信手段がキーボード等の入力手段を介して入力された識別情報を受信する場合に比べ、識別情報の入力間違いを抑制することができる。
【００４７】
バーコードスキャナ４０は、開始バーコード（運転開始情報）を読み取り可能であり、メインコントローラ１ｃのＣＰＵ１ｃ１（運転制御手段）は、バーコードスキャナ４０が開始バーコードを読み取ると、バーコードスキャナ４０が当該開始バーコードを読み取る前の直近に読み取った識別情報に対応する試料に対して決定された試験条件で、運転を開始させる（図３のＳ６，Ｓ７参照）。この場合、読取手段以外の手段（タブレット型端末、押しボタン等の入力手段）を介して試験開始時点（運転開始時点）を受信する場合に比べ、構成要素の簡素化、入力作業の省略等が可能となる。
【００４８】
バーコードスキャナ４０は、終了バーコード（運転終了情報）を読み取り可能であり、サブコントローラ２０のＣＰＵ２０１（報知手段）は、バーコードスキャナ４０が運転終了情報を読み取ると、スタンバイ状態であることを報知する（図３のＳ１１，Ｓ１２参照）。この場合、例えば内部空間１０ｖに配置された全ての試料の試験が終了し、読取手段により運転終了情報が読み取られると、スタンバイ状態であることが報知される。これにより、ユーザは、次の試験を実行可能な状況であることを把握することができ、次の試験の準備をスムーズに進めることができる。
【００４９】
スタンバイ状態であることを報知する報知手段は、動作表示灯３０を含む。この場合、環境試験装置１に一般的に装備されている動作表示灯３０を報知手段として用いることで、構成要素の簡素化、コスト低減を実現することができる。
【００５０】
サブコントローラ２０のＣＰＵ２０１（異常通知手段）は、サブコントローラ２０のＲＡＭ（識別情報受信手段）２０３が試験条件の互いに異なる複数の試料の識別情報を続けて受信した場合に、運転を行う前に異常を通知する（図３のＳ５，Ｓ１３参照）。試験条件の互いに異なる複数の試料の試験を同時に行うと、試験条件が合致していない試料に過度なストレスがかかり、再試験を行う必要が生じ得る。これに対し、上記構成によれば、ユーザに事前に通知することで、このような事態を回避することができる。
【００５１】
異常を通知する異常通知手段は、動作表示灯３０を含む。この場合、環境試験装置１に一般的に装備されている動作表示灯３０を異常通知手段として用いることで、構成要素の簡素化、コスト低減を実現することができる。
【００５２】
以上、本発明の好適な実施の形態について説明したが、本発明は上述の実施形態に限られるものではなく、特許請求の範囲に記載した限りにおいて様々な設計変更が可能なものである。
【００５３】
・内部空間に配置される物品の数は、特に限定されない。例えば、上述の実施形態では２つの試料を内部空間に配置し、２つの試料の試験を同時に行うが、１つの物品（試料や製品）のみを内部空間に配置して当該１つの物品のみの試験や処理を行ってもよい。
・報知手段及び異常通知手段は、動作表示灯を含むことに限定されず、例えばスピーカ、ディスプレイ等を含んでもよい。また、本発明に係る環境形成装置は、報知手段や異常通知手段を備えなくてもよい。
・識別情報は、バーコードに限定されず、例えば試料や製品の番号であってもよい。
・読取手段は、バーコードスキャナに限定されず、例えば試料や製品の番号のような識別情報を読み取る装置であってもよい。
・識別情報受信手段は、読取手段が読み取った識別情報を受信する他、キーボード等の入力手段を介して入力された識別情報を受信してもよい。
・上述の実施形態では、メインコントローラ１ｃ及びサブコントローラ２０が設けられており、サブコントローラ２０が記憶手段及び識別情報受信手段を有するが、これに限定されない。例えば、上述の実施形態において、サブコントローラ２０を省略し、メインコントローラ１ｃのＲＯＭ１ｃ２が記憶手段を構成し、メインコントローラ１ｃのＲＡＭ１ｃ３が識別情報受信手段を構成してもよい。また、この場合において、メインコントローラ１ｃのＣＰＵ１ｃ１が報知手段や異常通知手段を構成してよい。
・本発明は、上述の実施形態で例示した環境試験装置に限定されず、例えば製品の生産ラインにおける熱処理工程に用いられるオーブン（熱処理装置）等、物品が配置される内部空間の環境を予め設定された環境とすることが可能な任意の装置に適用可能である。なお、本発明を製品の処理を行う装置（熱処理装置等）に適用する場合は、上述の実施形態における「試料」を「製品」に読み替え、「試験」を「処理」（例えば、「試験条件」を「処理条件」、「試験開始時点」を「処理開始時点」等）に読み替えればよい。
【符号の説明】
【００５４】
１  環境試験装置（環境形成装置）
１ｃ  メインコントローラ
１ｃ１  ＣＰＵ（運転制御手段）
１ｃ２  ＲＯＭ
１ｃ３  ＲＡＭ
１０  試験槽
１０ｖ  内部空間
２０  サブコントローラ
２０１  ＣＰＵ（決定手段，報知手段，異常通知手段）
２０２  ＲＯＭ（記憶手段）
２０３  ＲＡＭ（識別情報受信手段）
３０  動作表示灯（報知手段，異常通知手段）
４０  バーコードスキャナ（読取手段）
Ｓａ〜Ｓｃ  試料（物品）
【図１】
2018059793.tif 000003
【図２】
2018059793.tif 000004
【図３】
2018059793.tif 000005